(57)【要約】【課題】簡単な構成と低コストにより雑音を抑制することができる照明器具を提供する。【解決手段】光源、この光源を点灯する点灯回路、この点灯回路に電気的に接続された口金ピンおよびその点灯回路を収容する口金部８ｃを有するランプ装置８と；このランプ装置の口金ピンが挿入されて電気的かつ機械的に着脱可能に接続されるソケット孔および口金部８ｃが挿入される中央開口部を有するソケット９と；このソケットの中央開口部内に挿入されるランプ装置口金部の挿入先端１３ｂに対向する天板部１０ａに所要の間隙ｇを形成した状態でこのソケットを支持するソケット支持金具１０と；このソケット支持金具、ソケットおよびランプ装置を収容する上部本体部６と；を具備している。【選択図】  図１
2011096515.tif 000002
【特許請求の範囲】
【請求項１】
光源、この光源を点灯する点灯回路、この点灯回路に電気的に接続された口金ピンおよびその点灯回路を収容する口金部を有するランプ装置と；
このランプ装置の口金ピンが挿入されて電気的かつ機械的に着脱可能に接続されるソケット孔および口金部が挿入される開口部を有するソケットと；
このソケットの開口部内に挿入されるランプ装置口金部の挿入先端に対向する対向部に所要の間隙を形成した状態でこのソケットを支持するソケット支持金具と；
このソケット支持金具、ソケットおよびランプ装置を収容する器具本体部と；
を具備していることを特徴とする照明器具。
【請求項２】
ソケット支持金具は、ソケットの開口部に対向する対向部に、開口部を形成していることを特徴とする請求項１記載の照明器具。
【請求項３】
ソケット支持金具がアースと電気的に接続されていることを特徴とする請求項１または２記載の照明器具。
【発明の詳細な説明】
【技術分野】
【０００１】
本発明はガーデンライト等の照明器具に関する。
【背景技術】
【０００２】
従来、この種のガーデンライトの一例としては特許文献１記載のものが知られている。このガーデンライトは屋外に設置されるので、蛍光ランプ等の光源やその点灯回路等を収容する器具本体をアース線等により接地して感電防止を図っている。
【０００３】
一方、近年では、ＧＸ５３形の口金を用いた偏平円筒形等小形のランプ装置が提案されている（例えば、特許文献２参照）。さらに、この種の小形のランプ装置の光源をＬＥＤとして光源の長寿命化、省エネを図る点灯装置を内蔵したＬＥＤランプが開発されている。この種のＬＥＤランプは、屋外照明器具のようなメンテナンスが煩雑な器具において、展開が特に期待されている。
【先行技術文献】
【特許文献】
【０００４】
【特許文献１】特開平３−２８５２０６号公報
【特許文献２】特開２００９−１９９８４４号公報
【発明の概要】
【発明が解決しようとする課題】
【０００５】
しかしながら、このようなＬＥＤランプは、ランプの小形化を図るため、回路構造を小さくしている。
【０００６】
このために、この種のＬＥＤランプ装置を、特にアースされたガーデンライト等の屋外設置用の照明器具に、光源として用いる場合には、雑音が増大するという新たな課題が発生した。
【０００７】
そこで、この照明器具に別途雑音抑制回路を設けることも考えられるが、これではこの雑音抑制回路を設ける場合、コストアップと器具の大形化を招くという別の課題も発生する。
【０００８】
本発明はこのような事情を考慮してなされたもので、簡単な構成と低コストにより雑音を抑制することができる照明器具を提供することを目的とする。
【課題を解決するための手段】
【０００９】
請求項１に係る照明器具は、光源、この光源を点灯する点灯回路、この点灯回路に電気的に接続された口金ピンおよびその点灯回路を収容する口金部を有するランプ装置と；このランプ装置の口金ピンが挿入されて電気的かつ機械的に着脱可能に接続されるソケット孔および口金部が挿入される開口部を有するソケットと；このソケットの開口部内に挿入されるランプ装置口金部の挿入先端に対向する対向部に所要の間隙を形成した状態でこのソケットを支持するソケット支持金具と；このソケット支持金具、ソケットおよびランプ装置を収容する器具本体部と；を具備していることを特徴とする。
【００１０】
ここで、光源としては、平面状に配置可能な蛍光ランプや平面的に構成された発光ダイオード（ＬＥＤ）モジュール、ＥＬ（エレクトロルミネセンス）素子等を用いることができる。
【００１１】
口金部は、例えばＩＥＣやＪＩＳ（Ｃ７７０９）で規格化されているＧＸ５３形を用いてもよく、その本体（口金本体）を電気および熱絶縁性を有する合成樹脂、例えばＰＢＴ（ポリブチレンテレフタレート）等のエンジニアリングプラスチックにより形成してもよい。
【００１２】
請求項２に係る照明器具は、ソケット支持金具は、ソケットの開口部に対向する対向部に、開口部を形成していることを特徴とする。
【００１３】
ソケット支持金具の開口部は、ソケットの開口部内に挿入されるランプ装置の口金部挿入先端と対向する方向に貫通する貫通孔、またはその対向方向に凹む有底凹部でもよく、有底凹部の場合は、その内底面と、ランプ装置の口金部挿入先端との対向間隙を、例えば５ｍｍ以上、好適には１５ｍｍ以上に形成することにより、雑音を抑制または低減できる。
【００１４】
請求項３に係る照明器具は、ソケット支持金具がアースと電気的に接続されていることを特徴とする。
【発明の効果】
【００１５】
請求項１に係る照明器具によれば、ソケット開口部内に挿入されるランプ装置の口金部挿入先端と、ソケット支持金具の天板部等の対向部との間には所要の間隙が形成されているので、雑音を抑制または低減できる。
【００１６】
請求項２に係る照明器具によれば、ソケット支持金具の天板部等の対向部に形成した単なる貫通孔や有底凹部等の開口部により雑音を抑制できる。
【図面の簡単な説明】
【００１７】
【図１】本発明の第１の実施形態に係る照明器具の上部本体の一部を切欠くと共に、一部を断面で示す正面図。
【図２】（Ａ）は本発明の一実施形態に係る照明器具の全体の外観正面図、（Ｂ）は同右側面図。
【図３】図１で示すＬＥＤ（発光ダイオード）ランプ装置、ソケットおよび断面で示すソケット支持金具の分解正面図。
【図４】図３等で示すソケットの平面図。
【図５】図３等で示すソケット支持金具の天板の平面図。
【図６】本発明の第２の実施形態に係る照明器具のＬＥＤランプ装置、ソケットおよび断面で示すソケット支持金具の組付け状態を示す正面図。
【発明を実施するための形態】
【００１８】
以下、本発明の実施形態を図面に基づいて説明する。なお、これら複数の図面中、同一または相当部分には同一符号を付している。
【００１９】
図２（Ａ），（Ｂ）に示すように照明器具１は、全体が例えばアルミニウム等の金属により形成された器具本体２を有する。器具本体２は、円筒状のポール３の図中斜線で示す下端部を、地中に直立させた状態で埋設する基礎部３ａに形成し、この基礎部３ａには図示省略の電源コードを挿通させる電源コード挿通孔３ｂを形成している。ポール３は、その図中上端部に、下部本体４を一体に形成している。下部本体４には図示しないアース線を外部に引き出す口出線を設けている。下部本体４は、その内部に、図示しない電源装置を収容している。この電源装置は、その一次側に、ポール３内に配線された２本一対の電源コードを電気的に接続し、その二次側には図示しない左右一対の給電線を電気的に接続している。下部本体４は、その外側周面に、図２（Ａ）中、左右一対の偏平角筒状の支柱アーム５ａ，５ｂを固着している。支柱アーム５ａ，５ｂは、その図中上端部に、円筒状の上部本体６を、図中左右から挟持した状態で固着している。これら左右一対の支持アーム５ａ，５ｂは、その内部に、前記左右一対の給電線を軸方向に挿通させて上部本体６内に延在させている。
【００２０】
上部本体６は、その図中上端部を、円盤状の上蓋６ａにより水密に密閉し、図中下端部には、軸方向に対し所要角度傾斜した楕円状の開口６ｂを形成し、この開口６ｂには、例えばアクリル製の乳白色の透光性のカバー７を嵌合している。
【００２１】
図１に示すように上部本体６は、その内部に、ランプ装置の一例であるＬＥＤ（発光ダイオード）ランプ装置８、ソケット９およびソケット支持金具１０を組み付けた状態で収容している。図３はＬＥＤランプ装置８、ソケット９およびソケット支持金具１０の分解正面図であり、ソケット支持金具１０の図中上部の天板部１０ａを縦断面で示している。
【００２２】
ＬＥＤランプ装置８は、アルミニウム等の金属により形成された偏平円筒状の金属製カバー８ａの図１，図３中開口下端に、透光性カバー８ｂを装着し、図１，図３中上端に、金属製カバー８ａよりも若干小径の有底偏平円筒状の口金部８ｃを取り付けている。
【００２３】
金属製カバー８ａは、その内部に、光源の一例である図示省略のＬＥＤモジュール基板を、反射体を一体に組み付けた状態で収容している。
【００２４】
口金部８ｃは、例えばＧＸ５３形の口金部構造に形成されており、図３中、左右一対の口金ピン１１，１２と、口金突部１３を有する。口金ピン１１，１２は、その先端部（図３では上端部）に、その軸方向中間部１１ａ，１２ａよりも若干大径の大径端部１１ｂ，１２ｂをそれぞれ一体に形成している。口金突部１３は、その内部に、ＬＥＤ（発光ダイオード）を点灯する点灯回路を収容している。口金突部１３はその外側周面に、例えば鈎状のキー溝１３ａを形成している。
【００２５】
キー溝４３は、ソケット９の内周面に設けられているキー９ｊ（図４参照）に係合し、ＬＥＤランプ装置８の挿入角の方位を規定するとともに、ソケット９に装着されたＬＥＤランプ装置８が抜け落ちないように支持するものである。
【００２６】
図４に示すように、ソケット９は、円板状のフランジ９ａに、その板厚方向に貫通する左右一対のソケット孔９ｂ，９ｂとその図中、前後一対の切欠９ｃ，９ｃとを形成している。そして、ＬＥＤランプ装置８（図３参照）が装着されるフランジ９ａの表面とは逆の裏面（図３では上面）には、円筒状リブ９ｈと、４つのスペーサ９ｅと、４つの端子部９ｆが設けられている。
【００２７】
フランジ９ａは、略円板扁平状の中央部に、中央開口部９ｇを形成し、この中央開口部９ｇの開口周縁部の図３中上面側に、円筒状リブ９ｈを形成している。この円筒状リブ９ｈ内には、ＬＥＤランプ装置８の口金突部１３（図３参照）を挿通させるとともに、この中央開口部９ｇを挟む位置に設けられる一対のソケット孔９ｂ，９ｂにおいて一対の口金ピン１１，１２をそれぞれ挿入させる。
【００２８】
図４に示すようにソケット孔９ｂ，９ｂは、拡径丸孔とその一部から周方向に延びる溝孔とが一体に連成された形状をなしている。この拡径丸孔の直径は口金ピン１１，１２の太径端部１１ｂ，１２ｂの直径よりも若干大きく、この溝孔の幅はこの太径端部１１ｂ，１２ｂの直径よりも小さく中間部１１ａ，１２ａの直径よりも若干大きく構成されている。
【００２９】
そして、ＬＥＤランプ装置８をソケット９に装着する際は、口金ピン１１，１２をソケット孔９ｂ，９ｂの拡径丸孔内に挿入し、さらにＬＥＤランプ装置８を中心軸周りに角変位させる。またＬＥＤランプ装置８をソケット９から取り外すときは、その逆の操作となる。
【００３０】
これにより、口金ピン１１，１２は、その内部のバネ接点（図示省略）に対し機械的かつ電気的に着脱可能に接続される。
【００３１】
筒状リブ９ｈは、その内周面において、ＬＥＤランプ装置８の口金突部１３の外側周面と広い領域で摺動可能に接触することができる。これにより、ＬＥＤランプ装置８の装着時にぶれることなく、この口金突部１３および口金ピン１１，１２を中央開口部９ｇおよびソケット孔９ｂ，９ｂにそれぞれ案内することができる。
【００３２】
さらに、筒状リブ９ｈの外周面に沿ってレイアウトされる給電線９ｉ，９ｉは、高温になった口金突部１３に直接的に接触することがないので、給電線９ｉ，９ｉの絶縁被覆の熱劣化が抑制される。
【００３３】
各スペーサ９ｅは、ねじ等の複数の締結部材１４，１４，…により、鉄等の金属製のソケット支持金具１０の天板部１０ａに締結されるとともに、このフランジ９ａとこの天板部１０ａとの間隔を規定している。端子部９ｆ，９ｆは、外部の商用電力が給電線９ｉ，９ｉを介して入力され、接続する口金ピン１１，１２を介してＬＥＤランプ装置８にこの商用電力を供給するものである。
【００３４】
そして、図５に示すようにソケット支持金具１０は、平面形状がほぼ円形の天板部１０ａの左右両端部に、帯板状の左右一対の脚部１０ｂ，１０ｃを一体に形成している。この天板部１０ａの中央部には、その板厚方向に貫通する円形の貫通孔１０ｂが同心状に形成されている。この貫通孔１０ｂには、ソケット９の中央開口部９ｇを挿通して、ソケット支持金具１０の天板部１０ａ側へ延出するＬＥＤランプ装置８の口金突部１３の挿通先端面１３ｂが対向する。ソケット支持金具１０の貫通孔１０ｂの直径φｂは、口金突部１３の挿通先端面１３ｂの直径φａよりも大径（φｂ＞φａ）に形成されている。また、ソケット支持金具１０はアース線に接続され、器具本体２と共に電気的にアースされる。
【００３５】
このために、ＬＥＤランプ装置８の口金突部１３の挿通先端面１３ｂは貫通孔１０ｂを介して上部本体部６の上蓋６ａの内底面までの大きな間隙ｇが形成される。これにより、この照明器具１の雑音が規格レベル以下に抑制された。
【００３６】
次の表１は、この照明器具１の雑音端子電圧試験結果の一例を示す。この試験は試験器具：ＬＥＤＧ−６１３０３−ＬＳ１について、騒音レベルの測定を行なったものである。
【表１】
2011096515.tif 000003
【００３７】
表１中、ランプソケット支持金具（２）は、図３，図５で示す本発明の第１の実施形態に係るランプソケット支持金具１０を示し、ソケット支持金具（１）は、その天板部の平面形状が長方形で貫通孔１０ｄを形成せずに閉じた単なる平板に形成されている場合を示す。
【００３８】
この表１に示すようにソケット支持金具１０は、その天板部１０ａをほぼ円形に形成し、貫通孔１０ｄを形成することにより、雑音レベルを５５．９ｄＢに低減し、規格の６０ｄＢに対しマージンを４．１ｄＢ確保することができた。
【００３９】
なお、天板部１０ａの貫通孔１０ｄはＬＥＤランプ装置８の口金突部１３の底面（挿入先端面）１３ｂよりも大きくしてもよく、または若干小さくてもよい。また、一対の給電線９ｉ，９ｉが接続されていない他方の一対の給電端子９ｆ，９ｆに、図示省略の雑音防止フィルタやコンデンサ、またはフェライトを直列に挿入したリード線の両端部を挿入して電気的に接続した場合でも雑音を低減できた。さらに、電源線の外部にフェライトコアを取り付けた場合でも雑音を低減できた。
【００４０】
図６は本発明の第２の実施形態に係るソケット支持金具１０Ｘの断面を示している。このソケット支持金具１０Ｘは、その天板部１０ａに、上記貫通孔１０ｄに代えて、ＬＥＤランプ装置８の口金突部１３を挿入させる有底凹部１０ｅを形成し、この凹部１０ｅの内底面１０ｆに、口金突部１３の底面（挿入先端面）１３ｂを支持するリブ１０ｇ，１０ｇを形成し、口金突部１３の底面１３ｂと、凹部１０ｅの内底面１０ｆとの間隙ｇ１を５ｍｍ以上形成した点に特徴がある。これ以外の構成は前記第１の実施形態と同様である。
【００４１】
このソケット支持金具１０Ｘによっても雑音を低減できた。
【符号の説明】
【００４２】
１…照明器具、２…器具本体、６…上部本体、８…ＬＥＤランプ装置（ランプ装置）、８ｃ…口金部、９…ソケット、９ｂ，９ｂ…一対のソケット孔、９ｇ…中央開口部（開口部）、１０，１０Ｘ…ソケット支持金具１０ａ…天板部（対向部）、１０ｄ…貫通孔、１０ｅ…凹部、１１，１２…口金ピン、１３…口金突部、１３ｃ…口金突部の挿入先端。
【図１】
2011096515.tif 000004
【図２】
2011096515.tif 000005
【図３】
2011096515.tif 000006
【図４】
2011096515.tif 000007
【図５】
2011096515.tif 000008
【図６】
2011096515.tif 000009